(57)【要約】      （修正有）【課題】ヘアーブラシの形態や素材に関係なく対処でき、ブラシ毛やブラシ基台の物性及び色に影響を与えず、ブラシ基台又は把持部に顕著な構造上の制約が生じず、毛髪及びへア−ブラシに対して明らかな除電能力があり安価である除電手段を有したヘアーブラシを提供する。【解決手段】容易にコロナ放電を起こす極細の導電性短繊維を表面が毛羽立つように紡績して糸にし、この紡績糸４の適量を除電手段としてブラシ基台２又は把持部３に設置する。【選択図】        図１
2004209069.tif 000002
【特許請求の範囲】
【請求項１】
少なくともブラシ毛とブラシ基台及び把持部から成るヘアーブラシにおいて、該ブラシ基台又は把持部に極細の導電性短繊維を束ねた表面が毛羽立つ紡績糸が設置されることを特徴とするヘアーブラシ。
【請求項２】
前記導電性短繊維が平均繊維径１０μｍ以下のステンレス製である請求項１記載のヘアーブラシ。
【請求項３】
前記紡績糸がブラッシングの際に少なくとも毛羽を除き毛髪と接触しない請求項１又は２記載のヘアーブラシ。
【請求項４】
前記紡績糸が人体にアースされる請求項１〜３のいずれか一項に記載のヘアーブラシ。
【発明の詳細な説明】
【０００１】
【発明が属する技術分野】
本発明は、ブラッシングで発生する静電気によって毛髪とヘアーブラシが帯電することで生じる、毛髪がブラシ毛に絡みつく或いは櫛通りが悪くなり毛髪がダメージを受ける又は毛髪の帯電で頭部に違和感を覚える等の障害を軽減或いは除去するヘアーブラシに関する。
【０００２】
【従来の技術】
従来、前記障害の対策として、毛髪或いはヘアーブラシの帯電を低減或いは除去すること（以下、除電）が行われる。具体的には、ブラシ毛及びブラシ基台に導電性を付加しこれらを人体にアースしたヘアーブラシと、このヘアーブラシに除電ブラシと称される除電手段をブラシ基台又は把持部に設置したヘアーブラシがある。
【０００３】
詳しくは、前者について説明すれば、ブラッシングで発生する静電気が多く毛髪及びヘアーブラシの帯電量が多くなる合成樹脂製のブラシ毛及びブラシ基台に関するものであり、該ブラシ毛及びブラシ基台に導電性を付加することでヘアーブラシの帯電量を顕著に減少させ、さらに人体へのアースでヘアーブラシの帯電量をほぼゼロにするものである。
【０００４】
後者について説明すれば、前者ヘアーブラシに除電ブラシを付加したものであり、除電ブラシは紙やフィルム等の表面の帯電を除電するものであり複写機など産業機器に広く用いられる除電手段である。その構造と原理は、コロナ放電を容易に起こしえる極細の導電性繊維を束ね、束面を同じにして一列に並べたものを導電性素材で周囲を固定した帯状の一体品であり、その束面を帯電した物体面に近接させることで束面を構成する導電性繊維の先端に帯電物と逆の電荷が静電誘導されるなどによりコロナ放電を起こし帯電物を除電するものである。但し、帯電物が３０００Ｖ程の低電位の場合にはコロナ放電は起きないので常に完全に帯電を無くすものではないが、帯電を大きく低減することができ旧来の除電手段と違い電源を必要としないので手軽である。該導電性繊維には金属繊維や金属で表面処理した繊維及び硫化銅を結合させた有機繊維並びに炭素複合繊維等があるが、ヘアーブラシにおいては硫化銅を結合させたアクリル繊維が用いられている。
【０００５】
【発明が解決しようとする課題】
ブラシ毛及びブラシ基台に導電性を付加しこれらを人体にアースしたヘアーブラシにおいては、例えばブラシ毛が獣毛或いはブラシ基台が木製の場合は導電性を付加させることができない等、対処できるヘアーブラシが限定されるので問題である。獣毛のブラシ毛や木製のブラシ基台は合成樹脂製のものと比べてブラッシングによる帯電量は少ないが、通常において２０００Ｖ程には帯電しており獣毛の種類や空気の乾燥度によっては毛髪がヘアーブラシに絡まる程度まで帯電するので対策が望まれる。また、導電性の付加と人体へのアースでヘアーブラシの帯電量はほぼゼロになるが毛髪の帯電量はおよそ変わらず、繰返しブラッシングすることで毛髪の帯電量は緩やかではあるが増加していくので対処が必要である。さらに、導電性を付加するためにブラシ毛及びブラシ基台の素材が限定されるうえに多くの場合、導電性物質の配合によって素材が硬くなり表面が荒れるなど物性に影響を及ぼし黒色やくすんだ色になり任意の色にすることが難しいなどの問題がある。
除電ブラシをブラシ基台又は把持部に設置したヘアーブラシにおいては、除電ブラシは極細の導電性繊維をもとに種々の加工工程を経て製造されるので高価であり、商品が高額になってしまう。昨今、輸入品等の影響で価格破壊が生じている家庭用品においては高機能性商品といえども高価であることは顧客満足を得ることが難しく問題である。さらには、ブラシ基台が棒状であるロールブラシやゴムなどの弾性体から形成されるクッションブラシ等のヘアーブラシにおいては除電ブラシを設置することは構造的に不可であり、設置できるヘアーブラシにおいてもブラシ基台又は把持部に大掛かりな取付用穴が必要でありブラシ毛台と把持部に専用の構造を要し部品点数も増えるなど、対処できるヘアーブラシの形態が限定されヘアーブラシのデザインや構造も大きく規制される問題がある。
【０００６】
本発明はこのような問題に鑑みてなされたものであり、その目的は、除電機能を有する様々なブラシを広く市場に供給することであり、即ち、ヘアーブラシの形態や素材に関係なく対処でき、ブラシ毛やブラシ基台の物性及び色に影響を与えず、ブラシ基台又は把持部に顕著な構造上の制約が生じない、毛髪及びへア−ブラシに対して明らかな除電能力があり安価である除電手段を有したヘアーブラシを提供する。
【０００７】
【課題を解決するための手段】
上記目的を達成するために本発明のヘアーブラシは、毛髪とヘアーブラシの帯電を除電する除電手段を、微細かつヘアーブラシに容易に設置することができる形態とし安価でありながら確実な除電機能を有するものとする。即ち、容易にコロナ放電を起こす極細の導電性短繊維を表面が毛羽立つように紡績して糸にし、この紡績糸の適量を除電手段としてブラシ基台又は把持部に設置する。ブラッシングの際に、ブラシ基台又は把持部に設置された該紡績糸が毛髪及びヘアーブラシに発生する電荷及び帯電を各々コロナ放電して除電する。
【０００８】
好ましくは、該導電性短繊維の素材は表面抵抗が小さくコロナ放電能力が優れる金属製繊維が良く、特にサビが生じないなど耐久性があり生産性も良好なステンレス製が好ましく、その平均繊維径は１０μｍ以下とするのが良い。詳しくは、平均繊維径が１０μｍより大きくなればコロナ放電が生じ難くなり、これに対処するために毛羽の密度と数量を大幅に上げることが必要となる結果、製造が難しくなり生産コストがかかる或いは紡績糸の繊維径が大幅に上がるので好ましくない。また、ブラッシングの際に、毛髪が該紡績糸とブラシ基台又は把持部の間に挟まれ毛髪及び紡績糸共ダメージを受けることがないように少なくとも該紡績糸は毛羽部を除き毛髪に接触しないようにブラシ基台又は把持部に設置することが好ましい。また、該紡績糸はアースしなくとも顕著な除電能力があるが、さらに若干の除電能力向上のために該紡績糸を人体にアースさせることが好ましい。
【０００９】
【実施例】
以下に本発明の実施例を図面に基づいて説明する。図１は本発明の実施例１のヘアーブラシを示す斜視図、図２は実施例１の紡績糸の拡大参考図、図３は実施例１の構造参考図、図４は図１のＡＡ指示線による断面参考図である。図５は実施例２の斜視図、図６は図５のＡＡ指示線による断面参考図であり、図７は実施例３の斜視図、図８は実施例４の斜視図である。
【００１０】
図１において説明すれば、市場で多く見られる形態のヘアーブラシであり、ブラシ毛１と中央に紡績糸４が設置されたブラシ基台２を把持部３に嵌合設置する。ブラシ基台２及び把持部３の素材としては合成樹脂・木・金属等があり特に限定しない。ブラシ毛１の素材には獣毛・合成樹脂・木・金属等があり、ブラシ基台２に植毛設置する又はブラシ基台２と一体に成形すれば良い。なお、実施例１ではブラシ基台２と把持部３が個別であるが一体に成形することもできる。図２に示すように紡績糸４は、極細の導電性短繊維を束ねた紡績糸であり表面にはコロナ放電の電極となる毛羽が多く設置される。コロナ放電は特に導電性繊維素材と繊維径及び紡績糸４の毛羽の密度と数に影響を受ける。導電性繊維素材は金属繊維や金属で表面処理した繊維及び硫化銅を結合させた有機繊維並びに炭素複合繊維等があるが表面抵抗が小さいものが好ましい。繊維径は小さいほど良く、毛羽の密度と数は高く多いほど良く導電性短繊維の繊維長・本数・捩り等を調整し紡績設計すれば良い。即ち、高いコロナ放電能力を得るには、平均繊維径が１０μｍ以下のステンレス製短繊維とし、その繊維長は毛羽密度と生産性を考慮すれば１５０ｍｍ以下とし紡績設計すれば良い。なお、図２では導電性短繊維の束が２本であるがこれに限定するものではない。紡績糸４のブラシ基台２への設置方法は接着や縫込みや各種係止方法があるが、図３に示すようにブラシ基台２に設けたスリットに巻付け係止すれば緩むこともなく容易かつ低コストで設置できるので良い。また、ブラシ基台２を把持部３に嵌合設置する際に、ブラシ基台２の端部に露出する紡績糸４に接触するように把持部３にアース端子５を設ければブラッシングの際に把持部を握る手がアース端子に接触し紡績糸４の除電機能を幾分高めることができるので好ましく、さらにはブラシ基台２などが導電性を有する場合はヘアーブラシに帯電する静電気を人体に逃すことにもなるので良い。アース端子５は色々な形態が考えられ、例えば金属製のシール部材などは手軽に用いることができ総合的なコストも極めて低いので好ましく、金属部材を把持部３に埋め込み設置するなども高品質のイメージを与えることができるので良い。また、紡績糸４を把持部３に延長して設置することもできるし、アース端子５を把持部３の背面に延長設置すればブラッシングの際に把持部を握る手と常時接触するので良い。詳しくは、該紡績糸や前記除電ブラシなどのコロナ放電で帯電物を除電する自己放電型除電手段は良好な静電誘導のためにアースすることが基本であるが、ヘアーブラシ程度の除電においてはアースしなくとも事実上顕著な効果がある。人体にアースする方法の容易さやコスト等とコロナ放電能力の向上度を考慮し実施すれば良い。図４に示すように紡績糸４はブラシ基台２に設けられた溝に一部の毛羽を除きブラシ基台外表面から露出することなく収納されておりブラッシングの際に毛髪と接触しないので好ましい。
【００１１】
図５において説明すれば、紡績糸４が把持部３に設置されるものである。図６に示すように紡績糸４はブラシ基台２と把持部３の境に位置し、さらに把持部３に設けられた溝に一部の毛羽を除き外表面に露出することなく収納されているのでブラッシングの際に毛髪と接触しないので良い。
【００１２】
図７において説明すれば、一般にロールブラシと呼ばれる形態のヘアーブラシであり、ブラシ基台２は把持部と一体に成形すれば良い。ブラシ毛１は獣毛・合成樹脂・金属、ブラシ基台２は木・合成樹脂などの素材から成り、ブラシ毛１をブラシ基台２に植毛設置又は一体に成形すれば良い。紡績糸４はブラシ基台２に巻付けや接着等の方法で設置すれば良く把持部に延長設置すればアース端子となるので良い。また、ブラシ基台２に深さ１ｍｍ程の溝を設け紡績糸４を収納設置すれば好ましい。
【００１３】
図８において説明すれば、一般にクッションブラシと呼ばれる形態のヘアーブラシであり、ブラシ毛１は獣毛・合成樹脂・金属・木、ブラシ基台２は天然ゴム・合成樹脂等の弾性を有する素材で形成する。紡績糸４はブラシ基台２に縫込みや接着等の方法で設置すれば良い。
【００１４】
【発明の効果】
以上説明したように本発明のヘアーブラシに用いる除電手段は、形態が巾１ｍｍほどの紡績糸なのでヘアーブラシに巻付けや接着など種々の係止方法で容易に設置することができ設置後も目立たない。また、紡績は成熟した加工技術であり生産は単調かつ高速に行われるので該紡績糸は安定した品質で安価に製造される。さらに本件の除電手段の多くは２０ｃｍほどの長さとなり、最長でも数十ｃｍ程である。高価な導電性繊維素材を用いたとしても非常に安価である。また、明らかな除電能力を有し、ヘアーブラシに設置した場合において従来のヘアーブラシに用いられていた除電ブラシと同等以上の能力を得ることは極めて容易である。以上のように本発明のヘアーブラシは、ヘアーブラシの形態や素材に関係なく対処でき、ブラシ毛やブラシ基台の物性及び色に影響を与えず、ブラシ基台又は把持部に顕著な構造上の制約を受けず、毛髪及びへア−ブラシに対して明らかな除電効果があり安価である除電手段を有したヘアーブラシを提供することができる。
【図面の簡単な説明】
【図１】本発明のヘアーブラシの、実施例１の斜視図である。
【図２】本発明のヘアーブラシの、実施例１の紡績糸の拡大参考図である。
【図３】本発明のヘアーブラシの、実施例１の構造参考図である。
【図４】本発明のヘアーブラシの、図１のＡＡ指示線による断面参考図である。
【図５】本発明のヘアーブラシの、実施例２の斜視図である。
【図６】本発明のヘアーブラシの、図５のＡＡ指示線による断面参考図である。
【図７】本発明のヘアーブラシの、実施例３の斜視図である。
【図８】本発明のヘアーブラシの、実施例４の斜視図である。
【符号の説明】
１    ブラシ毛
２    ブラシ基台
３    把持部
４    紡績糸
５    アース端子
【図１】
2004209069.tif 000003
【図２】
2004209069.tif 000004
【図３】
2004209069.tif 000005
【図４】
2004209069.tif 000006
【図５】
2004209069.tif 000007
【図６】
2004209069.tif 000008
【図７】
2004209069.tif 000009
【図８】
2004209069.tif 000010